【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
コンテンツデータをダウンロードして再生するコンテンツ再生装置であって、
暗号化された前記コンテンツデータをダウンロードし、前記コンテンツデータを復号するための鍵情報を取得する受信部と、
ダウンロードした前記コンテンツデータを蓄積する蓄積部と、
蓄積された前記コンテンツデータの暗号を前記鍵情報を用いて復号する復号部と、
再生指示を受け付ける入力部と、
前記受信部と復号部とを制御する制御部とを備え、
前記制御部の制御状態は、
前記コンテンツデータのすべてのダウンロードが完了した後に前記鍵情報を取得し、前記コンテンツデータの暗号を復号して再生を可能とする第１の状態と、
前記コンテンツデータのダウンロード中に、前記入力部が前記再生指示を受け付けた場合に、前記コンテンツデータのすべてのダウンロードが完了する前に前記鍵情報を取得し、前記コンテンツデータのすべてのダウンロードが完了する前に前記コンテンツデータの暗号を復号して再生を可能とする第２の状態と、
を有することを特徴とするコンテンツ再生装置。
【請求項２】
コンテンツデータをダウンロードして再生するコンテンツ再生装置におけるコンテンツ再生方法であって、
暗号化された前記コンテンツデータをダウンロードし、
前記コンテンツデータを復号するための鍵情報を取得し、
ダウンロードした前記コンテンツデータを蓄積し、
蓄積された前記コンテンツデータの暗号を前記鍵情報を用いて復号し、
前記コンテンツデータのすべてのダウンロードが完了した後に前記鍵情報を取得し、前記コンテンツデータの暗号を復号して再生を可能とする第１の状態と、
前記コンテンツデータのダウンロード中に、再生指示を受け付けた場合に、前記コンテンツデータのすべてのダウンロードが完了する前に前記鍵情報を取得し、前記コンテンツデータのすべてのダウンロードが完了する前に前記コンテンツデータの暗号を復号して再生を可能とする第２の状態と、
を有することを特徴とするコンテンツ再生方法。
【請求項３】
コンテンツ送信装置とコンテンツ再生装置とを有するコンテンツ送受信システムであって、
前記コンテンツ送信装置は、
暗号化されたコンテンツデータを配信する送信部を備え、
前記コンテンツ再生装置は、
前記コンテンツデータをダウンロードし、前記コンテンツデータを復号するための鍵情報を取得する受信部と、
ダウンロードした前記コンテンツデータを蓄積する蓄積部と、
蓄積された前記コンテンツデータの暗号を前記鍵情報を用いて復号する復号部と、
再生指示を受け付ける入力部と、
前記受信部と復号部とを制御する制御部とを備え、
前記コンテンツ再生装置の前記制御部の制御状態は、前記コンテンツデータのすべてのダウンロードが完了した後に前記鍵情報を取得し、前記コンテンツデータの暗号を復号して再生を可能とする第１の状態と、
前記コンテンツデータのダウンロード中に、前記入力部が前記再生指示を受け付けた場合に、前記コンテンツデータのすべてのダウンロードが完了する前に前記鍵情報を取得し、前記コンテンツデータのすべてのダウンロードが完了する前に前記コンテンツデータの暗号を復号して再生を可能とする第２の状態と、
を有することを特徴とするコンテンツ送受信システム。
【請求項４】
コンテンツ送受信方法であって、
暗号化されたコンテンツデータを配信し、
前記コンテンツデータをダウンロードし、
前記コンテンツデータを復号するための鍵情報を取得し、
ダウンロードした前記コンテンツデータを蓄積し、
蓄積された前記コンテンツデータの暗号を前記鍵情報を用いて復号し、
前記コンテンツデータのすべてのダウンロードが完了した後に前記鍵情報を取得し、前記コンテンツデータの暗号を復号して再生を可能とする第１の状態と、
前記コンテンツデータのダウンロード中に、再生指示を受け付けた場合に、前記コンテンツデータのすべてのダウンロードが完了する前に前記鍵情報を取得し、前記コンテンツデータのすべてのダウンロードが完了する前に前記コンテンツデータの暗号を復号して再生を可能とする第２の状態と、
を有することを特徴とするコンテンツ送受信方法。
【手続補正２】
【補正対象書類名】明細書
【補正対象項目名】００４２
【補正方法】変更
【補正の内容】
【００４２】
放送受信装置６０においては、放送波５１がチューナ５２に入力され、復調部５３でトランスポートストリームとなり、蓄積制御部３に入力される。その後、蓄積部４に蓄積される場合と、蓄積しないで直接、暗号解除部５、デコーダ６を通って、表示装置７にて再生されるようになっている。
前述の課題は例えば以下の構成により解決することができる。
上記課題を解決するため、例えば、受信装置において、通信回線から暗号化されたコンテンツデータ及び前記コンテンツデータを復号するための鍵情報のダウンロードを行なうインタフェース部と、前記インタフェース部からダウンロードされた前記コンテンツデータ及び前記鍵情報を蓄積する蓄積部と、前記蓄積部から出力された前記コンテンツデータを前記鍵情報を用いて復号を行う制御部と、を備え、前記制御部は、前記鍵情報を前記コンテンツデータが全てダウンロードされた後にダウンロードするという構成をとる。
なお、上述の実施例は少なくとも下記を開示している。
（１）
通信回線から暗号化されたコンテンツデータ及び前記コンテンツデータを復号するための鍵情報のダウンロードが行なわれるインタフェース部と、
前記インタフェース部からダウンロードされた前記コンテンツデータ及び前記鍵情報を蓄積する蓄積部と、
前記蓄積部から出力された前記コンテンツデータを前記鍵情報を用いて復号を行う制御部と、
を備える受信装置であって、
前記制御部は、前記鍵情報を前記コンテンツデータが全てダウンロードされた後にダウンロードすることを特徴とする受信装置。
（２）
ユーザから指示が入力される入力制御部と、
通信回線から暗号化されたコンテンツデータ及び前記コンテンツデータを復号するための鍵情報のダウンロードを行なうインタフェース部と、
前記インタフェース部からダウンロードされた前記コンテンツデータ及び前記鍵情報を蓄積する蓄積部と、
前記コンテンツデータのダウンロード中においても前記蓄積部から出力された前記コンテンツデータを前記鍵情報を用いて復号を行うことが可能である制御部と、
を備える受信装置であって、
前記制御部は、前記入力制御部にコンテンツデータの再生指示が入力された場合に前記鍵情報をダウンロードして、ダウンロードした鍵情報を用いて前記コンテンツデータの再生を行なうことを特徴とする受信装置。
（３）
前記制御部は、前記コンテンツデータのダウンロードが全て終了時において、前記鍵情報が前記蓄積部に蓄積されていない場合には、前記鍵情報のダウンロードを行うことを特徴とする（２）に記載の受信装置。
（４）
前記制御部は、前記入力制御部にダウンロードされたコンテンツデータの再生指示が入力された場合でも、ダウンロードされた前記鍵情報に使用期限が設けられており、再生が指示された時点に前記使用期限を経過している場合には、前記ダウンロードされたコンテンツを復号するための鍵情報を再度ダウンロードすることを特徴とする（２）又は（３）に記載の受信装置。
（５）
コンテンツをダウンロード指示信号に応じてコンテンツをダウンロードするコンテンツデータダウンロードステップと、
鍵情報の取得命令を取得する鍵情報取得命令取得ステップと、
前記コンテンツのダウンロード中にコンテンツの再生命令があった場合に、コンテンツ再生命令取得時におけるコンテンツデータのダウンロード速度、コンテンツデータの再生速度、及び前記コンテンツデータのダウンロード量に基づいて、コンテンツデータが全てダウンロードされた時点より後にコンテンツデータの再生が終了するか否かを判断する再生可能判断ステップと、
前記再生可能判断ステップにおいてコンテンツデータが全てダウンロードされた時点より後にコンテンツデータの再生が終了すると判断された場合に、鍵情報の取得命令に応じて前記コンテンツを復号するための鍵情報をダウンロードする鍵情報取得ステップと、
を備える受信方法。
（６）
前記鍵情報取得ステップにおいて取得した前記鍵情報に使用期限が設けられており、前記コンテンツデータの再生指示を受信した時点において前記使用期限を経過している場合に、前記ダウンロードされたコンテンツを復号するための鍵情報を再度ダウンロードする鍵情報再取得ステップを備えることを特徴とする請求項５に記載の受信方法。